(57)【要約】      （修正有）【課題】小さな牽引力で管を引き込んで地中に敷設することができる、配管の地中引き込み工法を提供すること。【解決手段】建機の後方に取り付けた管牽引用ブレードに紐体４を介して、後方に管を取り付けた拡径リーマ５を取り付け、管牽引用ブレードを縦振動させて土を乱すとともに、管牽引用ブレードの後部に取り付けた給水管６より土中に水を供給して土を粘土状にし、拡径リーマ５を前記粘土状にした土中に牽引し、摩擦抵抗を減じて管を牽引して地中に敷設する、配管の地中引き込み工法。【選択図】図１
2018115424.tif 000002
【特許請求の範囲】
【請求項１】
建機の後方に取り付けた管牽引用ブレードに紐体を介して、後方に管を取り付けた拡径リーマを取り付け、
前記管牽引用ブレードを縦振動させて土を乱すとともに、前記管牽引用ブレードの後部に取り付けた給水管より土中に水を供給して土を粘土状にし、
前記拡径リーマを前記粘土状にした土中に牽引し、摩擦抵抗を減じて管を牽引して地中に敷設する、
配管の地中引き込み工法。
【発明の詳細な説明】
【技術分野】
【０００１】
本発明は、配管の地中引き込み工法であって、特に小さな牽引力で管を一定深さで地中に引込む、配管の地中引き込み工法に関する。
【背景技術】
【０００２】
地中に配管を施工する方法として、バックホウ等の建機を用いて管敷設用の溝を掘削し、溝内部に配管する方法が従来行われてきた。
この従来の工法より高速で管敷設を行う工法として専用建機で管を地中に引き込む工法がある。
【０００３】
この配管の地中引き込み工法は、図３に示すようなトラクターなどの建機の後部に管牽引用のブレードを装着し、バイブラトリープロー(Vibratory Plow)と呼ばれる偏芯錘を油圧モータで回転させてブレードに縦方向の振動を発生させながら、ブレード後端下部に繋がれたポリエチレンからなる管（ＰＥ管）を地中の一定深さに引き込んで管敷設を行うものである。
【発明の概要】
【発明が解決しようとする課題】
【０００４】
この配管の地中引き込み工法は、管敷設を１工程で完了させることができ高能率で経済的な工法であるが、ブレードで土を無理やり押しのけながら管を敷設するため大きな牽引力が必要となり、以下のような問題点が有る。
（１）50mm(2インチ)以下の管は通常タイヤ装着の建機で引込むが、75mm(3インチ)以上の管に対してはクローラー装着の建機が必要となるが、サッカー場やゴルフ場などの軟らかい芝地でクローラー装着の建機を用いて施工を行うとクローラーの凸部が地面に食込み芝を傷めることになる。
（２）クローラー装着の建機を用いても125mm(5インチ)以上の管は、過大な牽引力が必要となるので引込み施工することはできない。
【０００５】
本発明は、小さな牽引力で管を引き込んで地中に敷設することができる、配管の地中引き込み工法を提供することを目的とする。
【課題を解決するための手段】
【０００６】
上記目的を達成するためになされた本願の第１発明は、建機の後方に取り付けた管牽引用ブレードに紐体を介して、後方に管を取り付けた拡径リーマを取り付け、前記管牽引用ブレードを縦振動させて土を乱すとともに、前記管牽引用ブレードの後部に取り付けた給水管より土中に水を供給して土を粘土状にし、前記拡径リーマを前記粘土状にした土中に牽引し、摩擦抵抗を減じて管を牽引して地中に敷設する、配管の地中引き込み工法を提供する。
【発明の効果】
【０００７】
本発明は、上記した課題を解決するための手段により、次のような効果の少なくとも一つを得ることができる。
（１）管牽引用ブレードにより土を乱した土に水を供給して粘土状とし、拡径リーマにより拡径しながら管を牽引するため、小さな牽引力で管を引き込んで地中に敷設することができる。
（２）小さな牽引力で管を引き込むことができるため、管の径が75mm(3インチ)以上であっても、通常タイヤより接地力が弱い芝地用のタイヤを装着した建機であっても施工を行うことができる。
（３）芝地用のタイヤを装着した建機で施工を行うことができるため、サッカー場やゴルフ場などの軟らかい芝地の芝も痛めることがない。
（４）小さな牽引力で管を引き込むことができるため、125mm(5インチ)の径の管も施工することができる。
【図面の簡単な説明】
【０００８】
【図１】本発明の配管の地中引き込み工法の施工図
【図２】本発明の配管の地中引き込み工法の施工中の説明図
【図３】従来の配管の地中引き込み工法の説明図
【発明を実施するための形態】
【０００９】
以下、図面を参照しながら本発明の実施の形態について説明する。
【００１０】
［１］配管の地中引き込み工法
本発明の配管の地中引き込み工法は、地表面から所定の深さの土中に管１を敷設するためのものである。
【００１１】
＜１＞管
管１はポリエチレンからなるＰＥ管である。
管１は建機２の後方に取り付けた管牽引用ブレード３に紐体４を介して取り付けた拡径リーマ５に取り付ける。
【００１２】
＜２＞管牽引用ブレード
管牽引用ブレード３は、バイブラトリープローにより縦振動させながら土中に貫入可能な建機２用の治具である。
地中で振動することにより、管牽引用ブレード３の周囲の土は乱される。
管牽引用ブレード３の後部には給水管６を沿わせて固定する。
【００１３】
＜３＞拡径リーマ
拡径リーマ５は、管牽引用ブレード３側から管１を取り付けた後端側にかけて拡径する。
拡径リーマ５の後端側の径は管１と略同径とする。
【００１４】
［２］施工手順
＜１＞先行掘削
管１の配管予定箇所の手前で、事前に地面を掘削し、管牽引用ブレード３、拡径リーマ５および管１を地表面から所定の深さに配置する（図２）。
先行掘削せずに、管牽引用ブレード３の貫入に合わせて拡径リーマ５と管１を地中に引き込んでもよい。
【００１５】
＜２＞管牽引
管牽引用ブレード３をバイブラトリープローにより縦振動させながら、建機２を進行させて、管１の敷設予定箇所に貫入する。
管牽引用ブレード３に紐体４を介して取り付けた拡径リーマ５および管１は、所定の深さで、管牽引用ブレード３によって乱された地中に引き込まれる。
【００１６】
＜２．１＞給水
管１牽引時には、管牽引用ブレード３の、拡径リーマ５を取り付けた紐体４の位置まで伸びる給水管６により、地中に給水を行う。
給水により、拡径リーマ５の進行方向の、管牽引用ブレード３により乱した土に水を供給して土を軟らかい粘土状とする。
【００１７】
＜２．２＞拡径リーマによる拡径
拡径リーマ５により、粘土状となった土を押し広げて拡径する。
拡径リーマ５の後端側の径は管１と略同径であるため、拡径リーマ５通過後の粘土状の土は、管１と略同径まで押し広げられる。
縦振動している管牽引用ブレード３によりその周囲の土が乱されているところに管牽引用ブレード３に取付けた給水管６から水を供給することにより、土を軟らかい粘土状にし、拡径リーマ５および管１の摩擦抵抗を減少させる。
さらに管１の前に配置した拡径リーマ５により拡径されているため、管１を引き込む際の土の変形抵抗を減少することにより、小さな牽引力で管１を引き込んで地中に敷設することができる。
【００１８】
小さな牽引力で管１を引き込むことができるため、管１の径が75mm(3インチ)以上であっても、通常タイヤより接地力が弱い芝地用のタイヤを装着した建機２であっても施工を行うことができる。
そして、芝地用のタイヤを装着した建機２で施工を行うことができるため、サッカー場やゴルフ場などの軟らかい芝地の芝も痛めることがない。
また、小さな牽引力で管１を引き込むことができるため、125mm(5インチ)の径の管１も引き込み施工することができる。
【符号の説明】
【００１９】
１      管
２      建機
３      管牽引用ブレード
４      紐体
５      拡径リーマ
６      給水管
【図１】
2018115424.tif 000003
【図２】
2018115424.tif 000004
【図３】
2018115424.tif 000005